(57)【特許請求の範囲】
【請求項１】
第１の電子部品を放熱用の支持板に押圧する第１の弾性固定部と、
第２の電子部品を放熱用の支持板に押圧する第２の弾性固定部と、
放熱用の支持板に固着され第１の弾性固定部と接続された第１の支持板固着部と、
放熱用の支持板に固着され第２の弾性固定部と接続された第２の支持板固着部と、
第１の支持板固着部に形成された第１の固着具用孔部と、
第２の支持板固着部に形成された第２の固着具用孔部と、
第１の支持板固着部と第２の支持板固着部とを連結する接続部とを具備したことを特徴とする電子部品支持具。
【請求項２】
前記第１の固着具用孔部と、第２の固着具用孔部は、いずれも開口部で構成され、ねじとナットを用いて放熱用の支持板に固着することを特徴とする請求項１記載の電子部品支持具。
【請求項３】
前記第１の固着具用孔部と第２の固着具用孔部の一方は開口部で構成され、他方はタップが形成されており、ねじにより放熱用の支持板に固着することを特徴とする請求項１記載の電子部品支持具。
【請求項４】
前記接続部は、電子部品支持具を放熱用の支持板に固着した後にこの電子部品支持具より除去可能に構成されていることを特徴とする請求項１記載の電子部品支持具。
【請求項５】
複数の弾性固定部が形成された第１の連結支持板固着部と、
複数の弾性固定部が形成された第２の連結支持板固着部と、
第１の連結支持板固着部及び第２の連結支持板固着部に固着具用孔部を形成し、また第１の連結支持板固着部及び第２の連結支持板固着部を接続部で接続し、
これら複数の弾性固定部が形成された第１の連結支持板固着部と、複数の弾性固定部が形成された第２の連結支持板固着部と、接続部を弾性板により一体構成したことを特徴とする電子部品支持具。
【請求項６】
第１の弾性固定部と、第２の弾性固定部と、第１の支持板固着部と、第２の支持板固着部と、第１の支持板固着部と第２の支持板固着部とを連結する接続部を弾性板により一体構成した電子部品支持具を放熱用の支持板に固着した後に、前記接続部を電子部品支持具より除去することを特徴とする電子部品支持具の支持方法。
【発明の詳細な説明】
【０００１】
【発明の属する技術分野】
本発明は電子回路基板に実装された電子部品の支持具に係り、特に１個の支持具で複数の電子部品を筐体や放熱用板等の両面に密着固定することができる電子部品支持具及び支持方法に関するものである。
【０００２】
【従来の技術】
電子装置においては多数の電子部品が使用されている。この電子部品のうち、パワー用ＦＥＴあるいはパワートランジスタの如く、発熱する電子部品も使用されており、このような電子回路基板に実装された発熱電子部品を筐体や放熱用板に固定することが必要となる。
【０００３】
従来は、電子回路基板に実装された電子部品を筐体や放熱用板に固定する手法として、以下のような手法が一般的に使用されていた。
【０００４】
（１）図８に示す如く、電子部品を筐体や放熱用板に直接ねじ止めすること。
【０００５】
（２）図９に示す如く、筐体や放熱用板の一面に支持具を用いて固定すること。
【０００６】
図８に示す前記（１）では、パワー用ＦＥＴの如き電子部品２１をリード足２４において回路用基板２３に対してハンダ付けにより実装するとともに、放熱用板２２に対して電子部品固定用ねじ２５によりこの電子部品２１を密着固定し、電子部品２１の発熱を放熱用板２２を介して放熱するものである。放熱用板２２ではなく、筐体の一部を使用して同様に電子部品を密着固定し、放熱することもできる。
【０００７】
この図８では、熱ストレスやショックが電子部品２１に印加されたとき、リード足２４と回路用基板２３を固定接続しているハンダ部分に直接加圧され、このハンダ部分にクラックが入るという問題があった。
【０００８】
これを改善するため、図９に示す前記（２）では弾性バネで構成された電子部品支持具２６を支持具固定用ねじ２７により放熱用板２２に固着し、回路用基板２３に実装された電子部品２１をこの電子部品支持具２６により放熱用板２２に密着固定し、電子部品２１における発熱を放熱用板２２に放熱するとともに、電子部品２１に熱ストレスやショックが印加されてもこの電子部品支持具２６でこれを吸収し、リード足２４におけるハンダクラックの発生を防止していた。放熱用板２２ではなく、筐体の一部を使用することもできる。
【０００９】
同様に、弾性バネを用いて電子部品を固着することが、特開平１０−９８２８６号公報、特開平１０−３３５８６１号公報に記載されている。
【００１０】
【発明が解決しようとする課題】
ところで、前記図９及び各公報に記載された手法では、その構造上、放熱用板または筐体の片面にしか電子部品を固定できず、電子部品の配置効率が低く、電子機器の小型化、軽量化の妨げとなっていた。
【００１１】
したがって本発明の目的は、このような問題点を改善した、放熱を必要とする電子部品の配置効率を高めるのみならず、電子部品のリード足と回路基板の接合部にストレスが印加されない電子部品支持具及び支持方法を提供することである。
【００１２】
【課題を解決するための手段】
図１〜図３により本発明の概略を説明する。本発明では、電子部品支持具１により、電子部品２１、２１′を放熱用板２２の両面に固定できるように、電子部品２１、２１′を押さえる部分である弾性固定部２、２′が接続部４で接続されており、これにより放熱用板２２の両面に弾性固定部２、２′が位置するように構成する。
【００１３】
本発明の前記目的は、下記（１）〜（６）により達成することができる。
【００１４】
（１）第１の電子部品を放熱用の支持板に押圧する第１の弾性固定部と、第２の電子部品を放熱用の支持板に押圧する第２の弾性固定部と、放熱用の支持板に固着され第１の弾性固定部と接続された第１の支持板固着部と、放熱用の支持板に固着され第２の弾性固定部と接続された第２の支持板固着部と、第１の支持板固着部に形成された第１の固着具用孔部と、第２の支持板固着部に形成された第２の固着具用孔部と、第１の支持板固着部と第２の支持板固着部とを連結する接続部とを具備したことを特徴とする電子部品支持具。
【００１５】
（２）前記第１の固着具用孔部と、第２の固着具用孔部は、いずれも開口部で構成され、ねじとナットを用いて放熱用の支持板に固着することを特徴とする前記（１）記載の電子部品支持具。
【００１６】
（３）前記第１の固着具用孔部と第２の固着具用孔部の一方は開口部で構成され、他方はタップが形成されており、ねじにより放熱用の支持板に固着することを特徴とする前記（１）記載の電子部品支持具。
【００１７】
（４）前記接続部は、電子部品支持具を放熱用の支持板に固着した後にこの電子部品支持具より除去可能に構成されていることを特徴とする前記（１）記載の電子部品支持具。
【００１８】
（５）複数の弾性固定部が形成された第１の連結支持板固着部と、複数の弾性固定部が形成された第２の連結支持板固着部と、第１の連結支持板固着部及び第２の連結支持板固着部に固着具用孔部を形成し、また第１の連結支持板固着部及び第２の連結支持板固着部を接続部で接続し、これら複数の弾性固定部が形成された第１の連結支持板固着部と、複数の弾性固定部が形成された第２の連結支持板固着部と、接続部を弾性板により一体構成したことを特徴とする電子部品支持具。
【００１９】
（６）第１の弾性固定部と、第２の弾性固定部と、第１の支持板固着部と、第２の支持板固着部と、第１の支持板固着部と第２の支持板固着部とを連結する接続部を弾性板により一体構成した電子部品支持具を放熱用の支持板に固着した後に、前記接続部を電子部品支持具より除去することを特徴とする電子部品支持具の支持方法。
【００２０】
これにより下記の作用効果を奏することができる。
【００２１】
（１）１個の電子部品支持具により、放熱用板あるいは筐体の両面に電子部品を押圧保持することができるので、発熱電子部品を放熱用板あるいは筐体等に簡単な手段で、スペース効率よく、しかも作業効果よく取り付けることができる。また電子部品のリード足と回路用基板の接合部にストレスを加えることもなく使用することができ、電子機器の小型化、軽量化をはかることができる。さらに２つの支持板固着部を接続部で接続しているので、２個の弾性固定部が形成された電子部品支持具をきわめて簡単に正確に放熱用板や筐体等に取り付けることができる。
【００２２】
（２）開口部が形成された２つの支持板固着部が接続部で接続され、電子部品支持具が放熱用板等に取り付けられるとき、これらの開口部が対向して位置しているので、放熱用板等の両面に弾性固定部のある電子部品支持具を、１組のねじ・ナットで簡単に取り付けることができる。
【００２３】
（３）第１の固着具用孔部と第２の固着具用孔部の一方は開口部で構成され、他方はタップが形成されているので電子部品支持具をねじにより簡単に放熱用板等に取り付けることができ、作業効率を向上することができる。
【００２４】
（４）電子部品支持具を放熱用板等に取り付けた後に接続部を除去することができるので、高さの低い場所でも放熱用板等を使用して電子部品を取り付けることができ、電子機器の小型化、軽量化をはかることができる。
【００２５】
（５）連結支持板固着部に複数の弾性固定部を形成したので、電子機器を製作するときの作業効果やスペース効果をさらに向上させることができる。
【００２６】
（６）電子部品支持具を放熱用板等に取り付けた後に接続部を除去するので、電子部品支持具の取り付けを正確に、簡単に行うことができるのみならず、高さの低い場所でも放熱用板等を使用して電子部品を配置することができる。
【００２７】
【発明の実施の形態】
本発明の一実施の形態を図１〜図３により説明する。図１は本発明の電子部品支持具の一実施の形態を示し、図２、図３はこの電子部品支持具の使用状態説明図であり、図２は放熱用板に本発明の電子部品支持具を取り付け、電子部品の保持状態を示し、図３はその側面図である。
【００２８】
図中他図と同記号は同一部を示し、１は本発明に係る電子部品支持具、２、２′は弾性固定部、３、３′は支持板固着部、４は接続部、５、５′は連結部、６は丸穴、７はタップである。
【００２９】
電子部品支持部１は放熱用板２２の両面に電子部品２１、２１′を密着保持するものであり、弾性固定部２、２′、支持板固着部３、３′、接続部４、連結部５、５′が形成され、リン青銅やステンレスの如き、ばね性を有する金属板で一体構成されている。
【００３０】
弾性固定部２は、例えばパワーＦＥＴやパワートランジスタの如き発熱性の電子部品２１を放熱用板２２に圧着してこれを放熱用板２２に密着保持し、その発熱を放熱用板２２を介して放熱するものである。放熱用板２２に限らず、例えば筐体を使用して密着、放熱を行うこともできる。弾性固定部２′は弾性固定部２と同様に構成され、電子部品２１′を放熱用板２２に圧着してその発熱を放熱用板２２を介して放熱するものである。
【００３１】
支持板固着部３は、支持板固着部３′とともに電子部品支持具１を放熱用板２２に保持、固着するものであり、支持板固着部３には丸穴６が形成され、支持板固着部３′にはタップ７が形成されている。これら支持板固着部３、３′は、例えばリング状の接続部４により接続されており、図１に示す如く、その丸穴６とタップ７とは対向しているので、図３に示す如く、この支持板固着部３、３′間に放熱用板２２を位置させ、支持具固定用ねじ２７を放熱用板２２に形成された図示省略した穴部を介してこの丸穴６を挿入してタップ７に螺合することにより、電子部品支持具１を放熱用板２２に固定することができる。
【００３２】
連結部５は弾性固定部２と支持板固着部３との間に位置してこれらを連結状態にするものであり、図１〜図３の例では連結部５で支持板固着部３がほぼ直角に折り曲げられ、連結部５の他方の側で弾性固定部２が直角よりもやや内側つまり放熱用板側に折り曲げられている。
【００３３】
電子部品支持具１は、図１に示す如く、これら各部が一体状態で構成され、しかも丸穴６とタップ７が対向位置しているので、これを放熱用板２２に固着するとき電子部品支持具１と支持板固着部３、３′との位置決めが簡単に行えるのみならず、支持具固定用ねじ２７の挿入固着もこれまたきわめて簡単に行うことができる。
【００３４】
このようにして電子部品支持具１を放熱用板２２に固着したあと、回路用基板２３に実装された電子部品２１、２１′を、図２、図３に示す如く、放熱用板２２と弾性固定部２の間及び放熱用板２２と弾性固定部２′の間に保持し、電子部品２１、２１′を放熱用板２２に密着させ、放熱用板２２を介してその発熱を放熱することができる。放熱用板２２は、図示省略した筐体や別の支持具にねじ等で固定されている。なお図２、図３において２４は電子部品２１のリード足であり、２４′は電子部品２１′のリード足である。
【００３５】
このようにして本発明の電子部品支持具１によれば、放熱用板あるいは筐体の両面に電子部品２１、２１′を簡単に密着保持することができるので、放熱用板等に対するスペース効果を高めることができる。
【００３６】
本発明の電子部品支持具の第２の実施の形態を図４、図５により説明する。
【００３７】
本発明の第２の実施の形態では、図４に示す如く、支持板固着部３、３′の両方に丸穴６、６′を形成したものである。これにより図５に示す如く、支持具固定用ねじ２７とナット２８により、つまり通常のねじ・ナットにより電子部品支持具１′を放熱用板２２に固着することができる。
【００３８】
本発明の電子部品支持具の第３の実施の形態を図６、図７により説明する。
【００３９】
本発明の第３の実施の形態では、図６に示す如く、電子部品支持具１１に複数の弾性固定部２及び２′（この図の例ではそれぞれ３個）を設けたものである。
【００４０】
すなわち、連結支持板固着部１３に、３個の弾性固定部２、２、２を形成し、連結支持板固着部１３′に同じく３個の弾性固定部２′、２′、２′を形成し、これら連結支持板固着部１３、１３′を接続部１４、１４にて接続状態に構成する。そして連結支持板固着部１３には固着具用孔部１６、１６、１６を形成する。
【００４１】
この連結支持板固着部１３に設けた固着具用孔部１６、１６、１６は丸穴で構成されているが、連結支持板固着部１３′に設けた固着具用孔部は丸穴でもよいが、取り付け作業の容易性からタップが設けられている方が好ましい。
【００４２】
放熱用板２２にこの電子部品支持具１１を固着したのち、図７に示す如く、回路用基板２１に実装された電子部品２１、２１・・・を、前記図３の場合と同様に放熱用板２２に密着保持することができる。
【００４３】
図６、図７の例では電子部品を放熱用板の両面に３個ずつ密着保持する例について説明したが、本発明では勿論この数に限定されるものではない。
【００４４】
第３の実施の形態によれば、放熱用板等に電子部品支持具を固着するとき、一個の部品で複数の電子部品を密着保持することができるので、電子部品支持具の取り付け効率が向上する。
【００４５】
また電子部品支持具の固着後に接続部を除去する場合には、第１の実施の形態や第２の実施の形態に比し電子部品の数に比べて接続部の数が少ないので、この接続部除去作業に対する作業効率を向上することができる。
【００４６】
なお前記説明では接続部がリング状の例について説明したが、本発明は勿論これに限定されるものではなく、楕円形状でも三角形状でもその他の形状でもよい。
【００４７】
接続部の機能として次の如き効果もある。例えば図１に示す如く、電子部品支持具１が構成されたとき、支持板固着部３、３′の間隔Ｔはこの間に挿入される放熱用板や筐体等の厚みｄと略等しいことが望ましい。しかし本発明では接続部が形成されているため、Ｔ＞ｄの場合は支持具固定用ねじにより固着されるので、実際に使用するときＴ＝ｄとなる。またＴ＜ｄの場合、接続部が存在するため放熱用板等の挿入に際しこの間隔が広がりＴ＝ｄとなるので、これまた正確に取り付けられることになる。
【００４８】
なお接続部の除去としては、切断工具等により切断してもよく、また電子部品支持具１を製造するときあらかじめこの接続部の取外し位置に溝を切っておき、手作業で除去することもできる。
【００４９】
【発明の効果】
本発明により下記の効果を奏することができる。
【００５０】
（１）１個の電子部品支持具により、放熱用板あるいは筐体の両面に電子部品を押圧保持することができるので、発熱電子部品を放熱用板あるいは筐体等に簡単な手段で、スペース効率よく、しかも作業効果よく取り付けることができる。また電子部品のリード足と回路用基板の接合部にストレスを加えることもなく使用することができ、電子機器の小型化、軽量化をはかることができる。さらに２つの支持板固着部を接続部で接続しているので、２個の弾性固定部が形成された電子部品支持具をきわめて簡単に正確に放熱用板や筐体等に取り付けることができる。
【００５１】
（２）開口部が形成された２つの支持板固着部が接続部で接続され、電子部品支持具が放熱用板等に取り付けられるとき、これらの開口部が対向して位置しているので、放熱用板等の両面に弾性固定部のある電子部品支持具を、１組のねじ・ナットで簡単に取り付けることができる。
【００５２】
（３）第１の固着具用孔部と第２の固着具用孔部の一方は開口部で構成され、他方はタップが形成されているので電子部品支持具をねじにより簡単に放熱用板等に取り付けることができ、作業効率を向上することができる。
【００５３】
（４）電子部品支持具を放熱用板等に取り付けた後に接続部を除去することができるので、高さの低い場所でも放熱用板等を使用して電子部品を取り付けることができ、電子機器の小型化、軽量化をはかることができる。
【００５４】
（５）連結支持板固着部に複数の弾性固定部を形成したので、電子機器を製作するときの作業効果やスペース効果をさらに向上させることができる。
【００５５】
（６）電子部品支持具を放熱用板等に取り付けた後に接続部を除去するので、電子部品支持具の取り付けを正確に、簡単に行うことができるのみならず、高さの低い場所でも放熱用板等を使用して電子部品を配置することができる。
【図面の簡単な説明】
【図１】本発明の第１の実施の形態である。
【図２】本発明の第１の実施の形態の電子部品支持具の使用状態説明図（その１）である。
【図３】本発明の第１の実施の形態の電子部品支持具の使用状態説明図（その２）である。
【図４】本発明の第２の実施の形態である。
【図５】本発明の第２の実施の形態の電子部品支持具の使用状態説明図である。
【図６】本発明の第３の実施の形態である。
【図７】本発明の第３の実施の形態の電子部品支持具の使用状態説明図である。
【図８】従来例説明図（その１）である。
【図９】従来例説明図（その２）である。
【符号の説明】
１  電子部品支持具
２、２′  弾性固定部
３、３′  支持板固着部
４  接続部
５、５′  連結部
６  丸穴
７  タップ
２１  電子部品
２２  放熱用板
２３  回路用基板
２４、２４′  リード足
２５  電子部品固定用ねじ
２６  電子部品支持具
２７  支持具固定用ねじ
２８  ナット
【図１】
0003615490.tif 000002
【図２】
0003615490.tif 000003
【図３】
0003615490.tif 000004
【図４】
0003615490.tif 000005
【図５】
0003615490.tif 000006
【図６】
0003615490.tif 000007
【図７】
0003615490.tif 000008
【図８】
0003615490.tif 000009
【図９】
0003615490.tif 000010